(57)【要約】【課題】画面サイズが大型化した場合でも片手での操作が容易に行なえるようにする。【解決手段】タッチパネル２１を備えた携帯型電子機器１に設けられた表示部１０は、表示モードとして、表示面１３の全面に画像を表示する全画面表示モード、表示面１３の右辺１３Ｃおよび下辺１３Ｂに沿うようにして元の画像を相似形状で縮小表示する右手用表示モード、および表示面１３の左辺１３Ｄおよび下辺１３Ｂに沿うようにして元の画像を相似形状で縮小表示する左手用表示モードとを有する。制御部２は、入力部２０が所定の入力操作を受けたとき、表示部１０の表示モードを全画面表示モードから右手用表示モードまたは左手用表示モードに切替える。【選択図】図６
2013218428.tif 000002
【特許請求の範囲】
【請求項１】
筐体部と、
前記筐体部に設けられた矩形状の表示面を有する表示部と、
ユーザの入力を受付ける入力部と、
制御部とを備え、
前記入力部は、前記表示部と一体的に設けられた、前記表示面のタッチ位置を検出するためのタッチパネルを含み、
前記表示部は、表示モードとして、前記表示面の全面に画像を表示する全画面表示モード、前記表示面の右辺および下辺に沿うようにして元の画像を相似形状で縮小表示する右手用表示モード、および前記表示面の左辺および下辺に沿うようにして元の画像を相似形状で縮小表示する左手用表示モードとを有し、
前記制御部は、前記入力部が所定の入力操作を受けたとき、前記表示部の表示モードを前記全画面表示モードから前記右手用表示モードまたは前記左手用表示モードに切替える、携帯型電子機器。
【請求項２】
前記携帯型電子機器は、重力の方向に基づいて自機の姿勢を検知するための加速度センサをさらに備え、
前記制御部は、前記所定の入力操作を受けているときの自機の姿勢に応じて、前記表示部の表示モードを前記右手用表示モードおよび前記左手用表示モードのいずれか一方に切替える、請求項１に記載の携帯型電子機器。
【請求項３】
前記制御部は、前記所定の入力操作を受けているときに、前記表示面の右辺の下端が前記表示面の左辺の下端よりも低くなるように自機の姿勢が傾いている場合に、前記表示部の表示モードを前記全画面表示モードから前記右手用表示モードに切替え、
前記制御部は、前記所定の入力操作を受けているときに、前記表示面の左辺の下端が前記表示面の右辺の下端よりも低くなるように自機の姿勢が傾いている場合に、前記表示部の表示モードを前記全画面表示モードから前記左手用表示モードに切替える、請求項２に記載の携帯型電子機器。
【請求項４】
前記携帯型電子機器は、電話機能を備えた携帯通信端末であり、マナーモードに設定されている場合に着信を音声に代えて振動でユーザに通知するためのバイブレータをさらに備え、
前記表示部は、前記入力部が前記所定の入力操作を受けているという条件に加えて、さらに前記マナーモードに設定されているという条件が満たされたときに、前記全画面表示モードから前記右手用表示モードまたは前記左手用表示モードに切替える、請求項１〜３のいずれか１項に記載の携帯型電子機器。
【請求項５】
前記入力部は、前記筐体部に設けられた複数のハードウェアキーをさらに含み、
前記所定の入力操作は、前記複数のハードウェアキーのうちの所定のキーを押圧する操作である、請求項１〜４のいずれか１項に記載の携帯型電子機器。
【請求項６】
前記制御部は、前記右手用表示モードのときに、前記タッチパネルのタッチ位置が、縮小画像が表示される領域の左縁部から前記表示面の左辺方向に連続的に変化したことを検知した場合に、前記表示部の表示モードを前記左手用表示モードに切替え、
前記制御部は、前記左手用表示モードのときに、前記タッチパネルのタッチ位置が、縮小画像が表示される領域の右縁部から前記表示面の右辺方向に連続的に変化したことを検知した場合に、前記表示部の表示モードを前記右手用表示モードに切替える、請求項１〜５のいずれか１項に記載の携帯型電子機器。
【請求項７】
前記表示部は、前記右手用表示モードまたは前記左手用表示モードのとき、前記表示面のうちで縮小画像が表示される領域以外の周辺領域に、前記全画面表示モードのときに前記周辺領域に表示される部分の画像を、色相、彩度および明度の少なくとも１つを変えて表示する、請求項１〜６のいずれか１項に記載の携帯型電子機器。
【発明の詳細な説明】
【技術分野】
【０００１】
この発明は、タッチパネルを備えた携帯型電子機器に関し、たとえば、スマートフォンまたはタブレット端末などに利用されるものである。
【背景技術】
【０００２】
タッチパネルを備えた携帯型電子機器を片手で操作する場合は、右手で保持して右手の親指で操作する場合と左手で保持して左手の親指で操作する場合とがある。この場合、どちらの手で携帯端末を持っても無理なく操作できるようにすることが望ましい。
【０００３】
たとえば、特開２００９−１６９８２０号公報（特許文献１）に記載された携帯端末は、筐体の右縁上側に設けた右タッチセンサ部または筐体の左縁上側に設けた左タッチセンサ部からの検知結果と、タッチパネルのタッチ位置の検知結果に基づいて、右手での片手操作か、左手での片手操作か又は両手での操作かを判断する。そして、片手での操作の場合には片手での操作がし易いようにタッチパネル部における操作ボタン（アイコン）の配置を変更する。
【０００４】
特開２００９−１６３２７８号公報（特許文献２）に記載の携帯端末も、ユーザによって把持される部分を検知するためのセンサを備える。この携帯端末では、複数のアイコンは、ユーザによって把持される部分に近接する第１の辺部の下端にある第１の角部を中心とする円弧と、この円弧から第１の角部に向かって延びる弦とによって囲まれる領域内に配置される。
【０００５】
特開２０１０−１４６０３２号公報（特許文献３）に記載された携帯端末は、タッチパネルの押下領域の形状に基づいて、操作している指の根元の位置を特定する。そして、この根元の位置に基づいて、表示対象の表示位置を変更する。
【０００６】
上記に関連した文献として、変形が可能な筐体とタッチパネルとを備えた携帯端末を対象とした特開２００９−１６３３５６号公報（特許文献４）が知られている。この文献に記載された携帯端末は、たとえば、裏面にスライド収納可能なキーボードを備えたものである。そして、キーボードの位置に応じてタッチパネルに表示される操作ボタン（アイコン）の配置を変更することによって、タッチパネルの操作ボタンとキーボードの操作ボタンとの両方を片手で操作可能にする。
【先行技術文献】
【特許文献】
【０００７】
【特許文献１】特開２００９−１６９８２０号公報
【特許文献２】特開２００９−１６３２７８号公報
【特許文献３】特開２０１０−１４６０３２号公報
【特許文献４】特開２００９−１６３３５６号公報
【発明の概要】
【発明が解決しようとする課題】
【０００８】
近年、スマートフォンなどの携帯端末の表示パネルが大型化している。画面サイズが４インチ程度までは片手で保持して片手で操作することは容易である。しかしながら、４〜５インチ程度の画面サイズになると片手で保持できるが、保持している手の親指でタッチパネルの全領域をタッチすることは困難になる。
【０００９】
このため、上記の各文献のようにタッチパネルに表示するボタン類（アイコン）の配置を変更することがしばしば行なわれる。しかしながら、全てのアプリケーションソフトに対応するようにボタン類の配置を変更するのは困難である。
【００１０】
この発明は上記の課題を考慮してなされものであり、その目的は、タッチパネルを備えた携帯型電子機器において、画面サイズが大型化した場合でも片手での操作が容易に行なえるようにすることである。
【課題を解決するための手段】
【００１１】
この発明の一実施の形態による携帯型電子機器は、筐体部と、筐体部に設けられた矩形状の表示面を有する表示部と、ユーザの入力を受付ける入力部と、制御部とを備える。入力部は、表示部と一体的に設けられた、表示面のタッチ位置を検出するためのタッチパネルを含む。表示部は、表示モードとして、表示面の全面に画像を表示する全画面表示モード、表示面の右辺および下辺に沿うようにして元の画像を相似形状で縮小表示する右手用表示モード、および表示面の左辺および下辺に沿うようにして元の画像を相似形状で縮小表示する左手用表示モードとを有する。制御部は、入力部が所定の入力操作を受けたとき、表示部の表示モードを全画面表示モードから右手用表示モードまたは左手用表示モードに切替える。
【００１２】
好ましくは、携帯型電子機器は、重力の方向に基づいて自機の姿勢を検知するための加速度センサをさらに備える。制御部は、上記の所定の入力操作を受けているときの自機の姿勢に応じて、表示部の表示モードを右手用表示モードおよび左手用表示モードのいずれか一方に切替える。
【００１３】
好ましくは、制御部は、上記の所定の入力操作を受けているときに、表示面の右辺の下端が表示面の左辺の下端よりも低くなるように自機の姿勢が傾いている場合に、表示部の表示モードを全画面表示モードから右手用表示モードに切替える。制御部は、上記の所定の入力操作を受けているときに、表示面の左辺の下端が表示面の右辺の下端よりも低くなるように自機の姿勢が傾いている場合に、表示部の表示モードを全画面表示モードから左手用表示モードに切替える。
【００１４】
好ましくは、携帯型電子機器は、電話機能を備えた携帯通信端末であり、マナーモードに設定されている場合に着信を音声に代えて振動でユーザに通知するためのバイブレータをさらに備える。この場合、表示部は、入力部が所定の入力操作を受けているという条件に加えて、さらにマナーモードに設定されているという条件が満たされたときに、全画面表示モードから右手用表示モードまたは左手用表示モードに切替える。
【００１５】
好ましくは、入力部は、筐体部に設けられた複数のハードウェアキーをさらに含む。上記の所定の入力操作は、複数のハードウェアキーのうちの所定のキーを押圧する操作である。
【００１６】
好ましくは、制御部は、右手用表示モードのときに、タッチパネルのタッチ位置が、縮小画像が表示される領域の左縁部から表示面の左辺方向に連続的に変化したことを検知した場合に、表示部の表示モードを左手用表示モードに切替える。制御部は、左手用表示モードのときに、タッチパネルのタッチ位置が、縮小画像が表示される領域の右縁部から表示面の右辺方向に連続的に変化したことを検知した場合に、表示部の表示モードを右手用表示モードに切替える。
【００１７】
好ましくは、表示部は、右手用表示モードまたは左手用表示モードのとき、表示面のうちで縮小画像が表示される領域以外の周辺領域に、全画面表示モードのときに周辺領域に表示される部分の画像を、色相、彩度および明度の少なくとも１つを変えて表示する。
【発明の効果】
【００１８】
上記の実施の形態によれば、画面サイズが大型化した場合でも片手での操作を容易に行なうことができる。
【図面の簡単な説明】
【００１９】
【図１】実施の形態１による携帯型電子機器１の外観の一例を示す斜視図である。
【図２】図１の携帯型電子機器１のハードウェア構成の一例を示すブロック図である。
【図３】右手用表示モードについて説明するための図である。
【図４】左手用表示モードについて説明するための図である。
【図５】右手用表示モードから左手用表示モードへの切替について説明するための図である。
【図６】実施の形態１の携帯型電子機器による表示モードの切替手順を示すフローチャートである。
【図７】右手用表示モードの場合の画面表示の変形例を示す図である。
【図８】実施の形態２による携帯型電子機器による右手用表示モードへの切替について説明するための図である。
【図９】実施の形態２による携帯型電子機器による左手用表示モードへの切替について説明するための図である。
【図１０】実施の形態２の携帯型電子機器による表示モードの切替手順を示すフローチャートである。
【図１１】実施の形態３の携帯型電子機器による表示モードの切替手順を示すフローチャートである。
【発明を実施するための形態】
【００２０】
以下、この発明の実施の形態について図面を参照して詳しく説明する。なお、同一または相当する部分には同一の参照符号を付して、その説明を繰り返さない。
【００２１】
＜実施の形態１＞
［携帯型電子機器１の構成］
図１は、実施の形態１による携帯型電子機器１の外観の一例を示す斜視図である。実施の形態１では、携帯型電子機器１として、いわゆるスマートフォンと呼ばれる通信機能を備えた携帯端末を例に挙げて説明する。しかしながら、実施の形態１による携帯型電子機器１は携帯端末に限られるものでなく、通信機能を有していないＰＤＡ（Personal  Digital  Assistants）なども携帯型電子機器１に含まれる。
【００２２】
図１を参照して、携帯型電子機器１は、ほぼ平板状の筐体３０と、筐体３０の正面３０Ａに矩形状の表示面１３が設けられた表示部１０と、表示部１０と一体的に形成されたタッチパネル２１と、筐体３０に設けられたハードウェアキー（ハードウェアの操作ボタン）２２Ａ〜２２Ｆ（総称する場合、ハードウェアキー２２と記載する）とを含む。
【００２３】
表示部１０は、液晶パネルまたはＥＬ（Electro-Luminescence）ディスプレイなどによって構成される。図１に示す例では、表示面１３に表示される画像４０として、背景画像上に多数の操作ボタン（アイコン）４１が表示されている。
【００２４】
実施の形態１の場合、表示面１３の画面サイズ（対角線の長さ）は、４〜５インチ程度とする。このサイズの表示部１０を有する携帯型電子機器１は、片手（右手または左手）で保持することはできるが、保持している手の親指で表示面１３の全領域を触れることは困難である。
【００２５】
タッチパネル２１は、表示部１０の表示面１３上に重ねて一体的に形成される。タッチパネル２１は、タッチ位置（タッチパネル上で押圧された位置）の座標を出力する。
【００２６】
ハードウェアキー２２は、ハードウェアの操作ボタンであり、ユーザの入力操作を受付ける。図１の例では、筐体３０の上側面に電源オン、電源オフのための電源キー２２Ａが設けられ、右側面に音量キー２２Ｂ，２２Ｃ（音量アップ用キー２２Ｂ、音量ダウン用キー２２Ｃ）が設けられる。さらに、筐体３０の正面３０Ａの下部に、メニューキー２２Ｄ、ホームキー２２Ｅ、およびバックキー２２Ｆが設けられる。メニューキー２２Ｄを押すと操作中の画面のメニューが表示される。ホームキー２２Ｅを押すとホーム画面が表示される。バックキー２２Ｆを押すと前の画面に戻る。
【００２７】
これらのハードウェアキー２２には、アプリケーションソフトによって他の機能を割り当てることができる。さらに、所定時間以上、長く押すと別の機能を実行させるようにすることもできる。たとえば、ホームキー２２Ｅを長く押したときには、実行中のアプリケーション一覧が表示されたり、音量ダウン用キー２２Ｃを長く押したときには、マナーモードに移行したりする。マナーモードの状態では、着信が音声でなく、バイブレータの振動でユーザに伝えられる。
【００２８】
なお、ハードウェアキー２２の代わりに、同じ機能を有するソフトキーを表示部１０内にレイアウトすることも可能である。
【００２９】
図１の携帯型電子機器１には、さらに、筐体３０の正面に設けられたマイク１５およびスピーカ１６を含む。
【００３０】
図２は、図１の携帯型電子機器１のハードウェア構成の一例を示すブロック図である。図２を参照して、携帯型電子機器１は、中央処理装置（ＣＰＵ：Central  Processing  Unit）２、ＲＡＭ（Random  Access  Memory）３、ＲＯＭ（Read  Only  Memory）４、不揮発性メモリ５、加速度センサ６、バイブレータ７、通信装置８、アンテナ９、表示部１０、ＶＤＰ（Video  Display  Processor）１１、ＶＲＡＭ（Video  Random  Access  Memory）１２、マイク１５、スピーカ１６、音声信号処理回路１７、および表示部１０を含む。
【００３１】
ＣＰＵ２は、ＲＯＭ４および不揮発性メモリ５に格納されたプログラムを実行することによって、携帯型電子機器１全体の動作を制御する制御部として機能する。ＲＡＭ３は、ＣＰＵ２の主記憶として用いられる。
【００３２】
不揮発性メモリ５は、たとえば、フラッシュメモリなどのＥＥＰＲＯＭ（Electrically  Erasable  Programmable  Read-Only  Memory）によって構成される。不揮発性メモリに代えてハードディスクを設けてもよい。不揮発性メモリ５は、ＣＰＵ２で動作するプログラム（アプリケーションソフト等）を格納したり、ＣＰＵ２から出力されたデータを格納したりする。
【００３３】
加速度センサ６は、加速度を検出するセンサである。たとえば、加速度センサ６は梁構造で支持された錘体を有し、錘体の変位量を静電容量またはピエゾ抵抗の変化として検出して出力する。錘体の変位量は加速度センサ６に作用する加速度に比例する。通常、スマートフォンなどの携帯電話機には、重力の方向によって自機の姿勢を検知するために３軸の加速度センサが備えられている。
【００３４】
バイブレータ７は、ＣＰＵ２の指令に基づいて振動するもので、たとえば、マナーモードのときにユーザに着信を伝える場合などに用いられる。
【００３５】
通信装置８は、ＣＰＵ２の指令に基づいて、アンテナ９を介して音声信号およびデータ信号の無線通信を行なう。
【００３６】
ＶＤＰ１１は、ＣＰＵ２から指令に基づいて表示部１０への画像出力処理を行なうプロセッサである。ＶＲＡＭ１２は、ＶＤＰ１１の指令に基づいて表示部１０に表示する画像を記憶するメモリである。図２の場合、ＶＲＡＭ１２はＶＤＰ１１に直結される。
【００３７】
音声信号処理回路１７は、マイク１５で検出した音声信号をＡＤ（Analog-to-Digital）変換し、変換後のデジタル音声信号に対して符号化およびノイズ除去などの信号処理を行なう。音声信号処理回路１７は、さらに、音響出力すべきデジタル信号に対して所定の信号処理を行なってスピーカ１６に出力する。なお、図２の場合と異なり、音声信号処理回路１７を設けずに、音声信号処理回路１７の機能をプログラムに基づいてＣＰＵ２が実行するようにしてもよい。
【００３８】
入力部２０は、ユーザからの入力操作を受付けるものであり、図１で説明したタッチパネル２１およびハードウェアキー２２を含む。
【００３９】
タッチパネル２１は、パネル上のタッチ位置の座標を出力する。たとえば、図１のように複数のアイコン４１が表示部１０の表示面１３に表示されている場合、ＣＰＵ２は、タッチパネル２１から出力されたタッチ位置の座標に基づいてＶＲＡＭ１２をアクセスすることによって、どのアイコン４１がユーザによってタッチされているかを検出できる。
【００４０】
［表示モードの切替について］
次に、実施の形態１の携帯型電子機器１の特徴である表示モードの切替について説明する。
【００４１】
表示部１０は、表示モードとして、全画面表示モード、右手用表示モード、および左手用表示モードを有する。全画面表示モードでは、図１に示すように表示面１３の全面に画像４０が表示される。
【００４２】
図３は、右手用表示モードについて説明するための図である。図３を参照して、右手用表示モードでは、表示面１３の下辺１３Ｂおよび右辺１３Ｃに沿うようにして元の画像４０を相似形状で縮小した画像４０Ｒが表示される。図３の場合、表示面１３上で縮小画像４０Ｒが表示されない周辺領域（図３でドットが付された領域）は、黒または青などの単色が表示される。
【００４３】
図３において縮小画像４０Ｒが表示される領域のサイズは、右手５０Ｒで携帯型電子機器１を保持した場合に、縮小画像４０Ｒが表示される全領域を右手の親指５１Ｒでタッチ可能となるように設定される。たとえば、縮小画像４０Ｒのサイズ（対角線の長さ）は、３〜４インチ程度に設定される。これによって、右手で携帯型電子機器１を保持しながら、右手の親指を用いた操作を容易に行なうことができる。
【００４４】
図４は、左手用表示モードについて説明するための図である。図４を参照して、左手用表示モードでは、表示面１３の下辺１３Ｂおよび左辺１３Ｄに沿うようにして元の画像４０を相似形状で縮小した画像４０Ｌが表示される。図４の場合、表示面１３上で縮小画像４０Ｌが表示されない周辺領域（図４でドットが付された領域）は、黒または青などの単色が表示される。
【００４５】
図４において縮小画像４０Ｌが表示される領域のサイズは、左手５０Ｌで携帯型電子機器１を保持した場合に、縮小画像４０Ｌが表示される全領域を左手の親指５１Ｌでタッチ可能となるように設定される。たとえば、縮小画像４０Ｌのサイズ（対角線の長さ）は、３〜４インチ程度に設定される。これによって、左手で携帯型電子機器１を保持しながら、左手の親指を用いた操作を容易に行なうことができる。
【００４６】
実施の形態１の場合、全画面表示モードから右手用表示モードまたは左手用表示モード（片手用表示モードと総称する）への切替は、ユーザが所定のハードウェアキーを押圧することによって行なわれる。たとえば、バックキー２２Ｆを長く押したり、音量アップ用キー２２Ｂを長く押したりするなど、他の機能が未だ割り当てられていない入力操作に対して表示モードの切替が設定される。片手用表示モードで、再び所定の入力操作（所定のハードウェアキーの押圧）が行なわれると、表示モードは全画面表示モードに切り替わる。
【００４７】
もしくは、全画面表示モードから片手用表示モードへの切替は、ハードウェアキーの押圧に代えて、加速度センサを用いた特定のジェスチャ入力によって実現してもよい。
【００４８】
所定の入力操作に対して右手用表示モードおよび左手用表示モードのいずれに切り替えられるかは、予め設定可能であるとする。たとえば、右利きのユーザは右手用表示モードを予め設定し、左利きのユーザは左手用表示モードを予め設定する。
【００４９】
タッチパネル２１上の所定箇所のタッチ入力操作によっても、全画面表示モードから片手用表示モードに切り替わるようにすることは可能である。しかしながら、アプリケーションソフトによっては当該タッチ入力操作に既に所定の機能が割り当てられている場合があるので、全てのアプリケーションソフトで同一の入力操作にすることが困難である。ハードウェアキーを表示モードの切り替えに割り当てることによって、アプリケーションソフトによらずにユーザインターフェースを統一することができる。
【００５０】
上記のように片手用表示モードにおいて元の画像４０の縮小画像４０Ｒ，４０Ｌを表示することは、Ａｎｄｒｏｉｄ（登録商標）と呼ばれるモバイル用のＯＳでは比較的容易に実現できる。Ａｎｄｒｏｉｄ（登録商標）では、画面上のボタンやテキストのサイズをｄｉｐ（device-independent  pixel）と呼ばれる端末の解像度に依存しない単位で表記する。これにより、端末の解像度（ｄｐｉ：dots  per  inch）によって画面上のボタンやテキストのサイズを不変にできる。この仕組みを利用して、端末の解像度（ｄｐｉ）を擬似的に変更すれば縮小表示を容易に実現することができる。
【００５１】
なお、全画面表示モードと片手表示モードとで、タッチパネル２１を用いた入力操作は共通である。たとえば、図３および図４に示す片手用表示モードにおいて、ユーザが画面上の操作ボタン（アイコン）４１をタッチした場合、タッチパネル２１はタッチ位置の座標を出力する。ＣＰＵ２は、タッチ位置の座標に対応する操作ボタンを図２のＶＲＡＭ１２を参照することによって検出することができる。
【００５２】
図５は、右手用表示モードから左手用表示モードへの切替について説明するための図である。右手用表示モードと左手用表示モードとの間の切替えは、タッチパネル２１への入力操作を利用すると容易に実現できる。
【００５３】
図５では右手表示モードの場合が示される。このとき、タッチパネル２１のタッチ位置が、縮小画像４０Ｒが表示される領域の左縁部４３Ｄから表示面１３の左辺１３Ｄの方向に連続的に変化したこと（いわゆる「フリック入力」と称される）が検出されると、表示モードを左手表示モードに切り替えるようにする。
【００５４】
たとえば、ユーザが携帯型電子機器１を右手から左手に持ち替えた場合に、左手の親指を用いて上記のタッチ入力操作を行なうことにより、右手用表示モードから左手用表示モードへの切替えを容易に行なうことができる。
【００５５】
図４を参照して、左手用表示用モードの場合には、タッチパネル２１のタッチ位置が、縮小画像４０Ｌが表示される領域の右縁部４３Ｃから表示面１３の右辺１３Ｃの方向に連続的に変化したことが検出されると、表示モードを右手表示モードに切り替えるようにする。
【００５６】
図６は、実施の形態１の携帯型電子機器による表示モードの切替手順を示すフローチャートである。以下、図２、図６を参照して、表示モードの切替手順についてこれまでの説明を総括する。
【００５７】
初期状態（電源立ち上げ時またはスリープモードからの再起動時など）において、表示部１０の表示モードは全画面表示モードである（ステップＳ１０）。全画面表示モードにおいて、ＣＰＵ２は、入力部２０に対して所定の入力操作があったことを検出すると（ステップＳ２０でＹＥＳ）、表示部１０の表示モードを片手用表示モードに切り替える。この場合、片手用表示モードとして右手用表示モードが予め設定されていた場合には（ステップＳ３０でＹＥＳ）、ＣＰＵ２は、表示モードを右手用表示モードに切り替える（ステップＳ４０）。片手用表示モードとして左手用表示モードが予め設定されていた場合には（ステップＳ３０でＮＯ）、ＣＰＵ２は、表示モードを左手用表示モードに切り替える（ステップＳ５０）。
【００５８】
右手用表示モードのとき、ＣＰＵ２は、縮小画像４０Ｒ（図５を参照）が表示される領域の左縁部４３Ｄから表示面１３の左辺１３Ｄの方向へフリック入力を検出すると（ステップＳ６０でＹＥＳ）、表示部１０の表示モードを左手用表示モードに切り替える（ステップＳ５０）。
【００５９】
左手用表示モードのとき、ＣＰＵ２は、縮小画像４０Ｌ（図４を参照）が表示される領域の右縁部４３Ｃから表示面１３の右辺１３Ｃの方向へフリック入力を検出すると（ステップＳ７０でＹＥＳ）、表示部１０の表示モードを右手用表示モードに切り替える（ステップＳ４０）。
【００６０】
片手用表示モードのとき、ＣＰＵ２は、所定の入力操作を検出すると（ステップＳ８０またはＳ９０でＹＥＳ）、表示部１０の表示モードを全画面表示モードに切り替える（ステップＳ１０）。以後、上記の各ステップが繰り返される。
【００６１】
以上説明したように、実施の形態１の携帯型電子機器１によれば、元の画像を相似形状で縮小表示する片手用表示モードが設けられることによって、画面サイズが大型化した場合でも、片手操作を容易に行なうことができる。
【００６２】
［変形例］
図７は、右手用表示モードの場合の画面表示の変形例を示す図である。図７に示す変形例では、表示部１０は、右手用表示モードのときに、表示面１３のうち縮小画像４０Ｒが表示される領域以外の周辺領域４２に、全画面表示モードのときにこの周辺領域４２に表示される部分の画像を、色相、彩度および明度の少なくとも１つを変えて表示する。たとえば、元の画像をグレースケール（白黒画像）に変換したり、単色カラースケールに変換したりして表示したりする。
【００６３】
同様に、表示部１０は、左手用表示モードのときに、表示面１３のうち縮小画像４０Ｌが表示される領域以外の周辺領域に、全画面表示モードのときにこの周辺領域に表示される部分の画像を、色相、彩度および明度の少なくとも１つを変えて表示する。
【００６４】
上記のように表示することによって、縮小表示が画面表示のエラーによるものでなく、片手用表示モードによって表示されていることがユーザにとって明確になるという利点がある。
【００６５】
＜実施の形態２＞
実施の形態１では、全画面表示モードから片手用表示モードに切り替わったときに、右手用表示モードおよび左手用表示モードのいずれに切り替わるかが、予め設定されていた。実施の形態２による携帯型電子機器では、図２の加速度センサ６によって検出した重力の方向を利用することによって、携帯型電子機器の姿勢に応じて右手用表示モードおよび左手用表示モードのいずれか一方に切替わるようにする。
【００６６】
なお、実施の形態２による携帯型電子機器のハードウェア構成は、図１、図２で説明した実施の形態１の場合と同じであるので説明を繰り返さない。
【００６７】
図８は、実施の形態２による携帯型電子機器による右手用表示モードへの切替について説明するための図である。図８の例では、表示モードを切替えるための所定の入力操作（たとえば、図１の音量アップ用キー２２Ｂの長押し）を受けているときに、表示面１３の右辺１３Ｃの下端が左辺１３Ｄの下端よりも低くなるように自機の姿勢が傾いている場合、表示部１０の表示モードが全画面表示モードから右手用表示モードに切替わる。
【００６８】
図９は、実施の形態２による携帯型電子機器による左手用表示モードへの切替について説明するための図である。図９の例では、表示モードを切替えるための所定の入力操作を受けているときに、表示面１３の左辺１３Ｄの下端が右辺１３Ｃの下端よりも低くなるように自機の姿勢が傾いている場合、表示部１０の表示モードが全画面表示モードから右手用表示モードに切替わる。
【００６９】
自機の姿勢の検知は、３軸加速度センサを用いることによって容易に行なえる。たとえば、図１に示す携帯型電子機器において、上下方向（表示面１３の右辺１３Ｃに沿った方向）、左右方向（表示面１３の上辺１３Ａに沿った方向）、および前後方向（表示面１３に垂直な方向）の重力加速度の成分が検出可能であるとする。この場合、重力加速度の上下方向の成分が上から下に向かう方向であり、かつ、左右方向の成分が左から右に向かう方向の場合に、表示面１３の右辺１３Ｃの下端が左辺１３Ｄの下端よりも低いことがわかる。
【００７０】
図１０は、実施の形態２の携帯型電子機器による表示モードの切替手順を示すフローチャートである。
【００７１】
図１０のフローチャートは、図６のステップＳ３０に代えてステップＳ３１が設けられている点で、図６のフローチャートと異なる。具体的には、所定の入力操作を受けている場合（ステップＳ２０でＹＥＳ）において、自機の姿勢が表示面１３の右辺方向に傾いているとき、すなわち右辺１３Ｃの下端が左辺１３Ｄの下端よりも低いとき（ステップＳ３１でＹＥＳ）、図２のＣＰＵ２は表示モードを右手用表示モードに切替える（ステップＳ４０）。逆に、所定の入力操作を受けている場合（ステップＳ２０でＹＥＳ）において、自機の姿勢が表示面１３の左辺方向に傾いているとき、すなわち左辺１３Ｄの下端が右辺１３Ｃの下端よりも低いとき（ステップＳ３１でＮＯ）、図２のＣＰＵ２は表示モードを左手用表示モードに切替える（ステップＳ５０）。
【００７２】
図１０のその他の点は図６の場合と同じであるので同一または相当するステップには同一の参照符号を付して説明を繰り返さない。
【００７３】
なお、図８〜図１０では、自機の姿勢が左右方向のいずれに傾いているかに応じて、右手用表示モードおよび左手用表示モードのいずれか一方に表示モードを切り替えたが、必ずしもこの条件に限るものではない。たとえば、自機の姿勢が前後方向のいずれに傾いているかに応じて表示モードを右手用表示モードおよび左手用表示モードのいずれか一方に切替えるようにしてもよい。
【００７４】
＜実施の形態３＞
実施の形態１，２では、所定の入力操作（たとえば、図１の音量アップ用キー２２Ｂの長押し）を受けているときに、表示部１０の表示モードが全画面表示モードから片手用表示モード（右手用表示モードまたは左手用表示モード）に切替わるようにした。実施の形態３では、入力部が所定の入力操作を受けているという条件に加えて、さらにマナーモードに設定されているという条件が満たされたときに、表示部１０の表示モードが全画面表示モードから片手用表示モードに切替わるようにする。
【００７５】
ユーザが電車に乗っている場合にはスマートフォンなどの携帯型電子機器を片手で操作する必要性がしばしば生じる。この場合、スマートフォンは、通常、マナーモードに設定されているので、表示モードの切替条件にマナーモードに設定されているという条件を追加するようにする。単にユーザが所定の入力操作をしただけでは、表示モードが片手用表示モードに切り替わらなくなる。
【００７６】
なお、実施の形態３の携帯型電子機器は、スマートフォンなど電話機能を備えた携帯型電子機器に限られる。
【００７７】
図１１は、実施の形態３の携帯型電子機器による表示モードの切替手順を示すフローチャートである。
【００７８】
図１１のフローチャートは、マナーモードに設定されているか否かを判定するステップＳ１１をさらに含む点で図１０のフローチャートと異なる。具体的には、マナーモードに設定され（ステップＳ１１でＹＥＳ）かつ所定の入力操作を受けているときに（ステップＳ２０でＹＥＳ）、図２のＣＰＵ２は、表示部１０の表示モードを片手用表示モード（ステップＳ４０またはＳ４１）に切替える。図１１のその他の点は図１０の場合と同じであるので、同一または相当するステップには同一の参照符号を付して説明を繰り返さない。
【００７９】
今回開示された実施の形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【００８０】
１  携帯型電子機器、２  ＣＰＵ、６  加速度センサ、１０  表示部、１１  ＶＤＰ、１２  ＶＲＡＭ、１３  表示面、１３Ａ  上辺、１３Ｂ  下辺、１３Ｃ  右辺、１３Ｄ  左辺、２０  入力部、２１  タッチパネル、２２  ハードウェアキー、３０  筐体、３０Ａ  正面、４０  画像（全画面表示モード）、４０Ｒ  縮小画像（右手用表示モード）、４０Ｌ  縮小画像（左手用表示モード）、４２  周辺領域、４３Ｃ  右縁部、４３Ｄ  左縁部。
【図１】
2013218428.tif 000003
【図２】
2013218428.tif 000004
【図３】
2013218428.tif 000005
【図４】
2013218428.tif 000006
【図５】
2013218428.tif 000007
【図６】
2013218428.tif 000008
【図７】
2013218428.tif 000009
【図８】
2013218428.tif 000010
【図９】
2013218428.tif 000011
【図１０】
2013218428.tif 000012
【図１１】
2013218428.tif 000013